(57)【要約】      （修正有）【課題】演出効果の高いハンドルユニット及び遊技機を提供する。【解決手段】遊技機のハンドル本体の前面を覆う前面カバー１１３に開口部が開設されてあり、ハンドル本体内の保持位置に保持され、保持位置から開口部を通って前面カバー１１３より前方に突出可能な可動部と、ハンドル本体内に固定され、可動部の周囲に配置されたＬＥＤと、可動部に固定されたリフレクタ１１４２とを備え、リフレクタ１１４２は、反射方向が異なる内側面１１４２ｂ及び外側面１１４２ｃを有し、可動部が保持位置に位置する場合に、内側面１１４２ｂはＬＥＤからの光を可動部の前方から外部へ反射し、可動部が前面カバー１１３より前方に突出した突出位置に位置する場合に、外側面１１４２ｃはＬＥＤからの光を可動部の側方から外部へ反射する。【選択図】図６Ａ
2017029643.tif 000002
【特許請求の範囲】
【請求項１】
遊技機に搭載され、遊技球を発射する強度を調整する回動操作を受け付ける操作レバーと、前記操作レバーを回動自在に軸支するハンドル本体と、前記ハンドル本体の前面を覆う前面カバーとを備えるハンドルユニットであって、
前記前面カバーに開設された開口部と、
前記ハンドル本体内の保持位置に保持され、保持位置から前記開口部を通って前記前面カバーより前方に突出可能な可動部と、
前記ハンドル本体内に固定され、前記可動部の周囲に配置された光源と、
前記可動部に固定され、前記光源から照射された光を反射する反射体と
を備え、
前記反射体は、反射方向が異なる複数の反射面を有し、
前記可動部が保持位置に位置する場合に、第１の反射面は光源からの光を前記可動部の前方から外部へ反射し、
前記可動部が前記前面カバーより前方に突出した突出位置に位置する場合に、前記第１の反射面と異なる第２の反射面は光源からの光を前記可動部の側方から外部へ反射する
ことを特徴とするハンドルユニット。
【請求項２】
請求項１に記載のハンドルユニットであって、
前記反射体は、
前記第１の反射面を内側面とし、前記第２の反射面を外側面とする外縁と、
前記外縁の一部が切開された切り欠きと
を有し、
前記第１の反射面は、前記反射体の周囲から切り欠きを通って照射された光を前方へ反射し、
前記第２の反射面は、前記反射体の周囲から照射された光を側方へ反射する
ことを特徴とするハンドルユニット。
【請求項３】
請求項１又は請求項２に記載のハンドルユニットであって、
前記前面カバーの内面は、光源からの光を前記反射体側へ反射させる鏡面である
ことを特徴とするハンドルユニット。
【請求項４】
請求項１乃至請求項３のいずれか１項に記載のハンドルユニットであって、
前記光源は、複数であり、
第１の光源は、前記可動部が保持位置に位置する場合に、前記第１の反射面に到達する方向へ光を照射し、
前記第１の光源と異なる第２の光源は、前記可動部が突出位置に位置する場合に、前記第２の反射面に到達する方向へ光を照射する
ことを特徴とするハンドルユニット。
【請求項５】
請求項１乃至請求項４のいずれか１項に記載のハンドルユニットを備えることを特徴とする遊技機。
【発明の詳細な説明】
【技術分野】
【０００１】
本発明は、遊技機に搭載され、遊技球を発射する強度を調整する回動操作を受け付ける操作レバーと、前記操作レバーを回動自在に軸支するハンドル本体と、前記ハンドル本体の前面を覆う前面カバーとを備えるハンドルユニット、及びそのようなハンドルユニットを備えた遊技機に関する。
【背景技術】
【０００２】
従来から遊技機としてパチンコが広く普及している。パチンコ等の遊技機では、遊技に用いる遊技球を発射する発射装置を操作するためのハンドルが設けられている。そして、遊技者が触れるハンドルに演出効果を有する機能を付与することにより、遊技者に対し遊技への期待感を抱かせる等の効果が見込まれている。
【０００３】
例えば、特許文献１には、ハンドルに設けたハンドルランプを点灯又は点滅させることにより、遊技者に対して大当たりに当選したことを報知する特別な演出を行う遊技機が提案されている。特許文献１に提案されている遊技機では、ハンドル内に収容されたＬＥＤが発光し、ハンドルカバーを透過する。そして、ハンドル内に収容された複数のＬＥＤが、点灯、点滅することにより、遊技者に対して大当たりに当選したことを報知する特別な演出を行う。
【先行技術文献】
【特許文献】
【０００４】
【特許文献１】特許第５４２０３３８号公報
【発明の概要】
【発明が解決しようとする課題】
【０００５】
しかしながら、特許文献１に提案されている遊技機は、ハンドル内部のＬＥＤを点灯及び点滅させることにより、一定の演出効果を有するものの、更に高い演出効果が求められている。
【０００６】
本発明は斯かる事情に鑑みてなされたものであり、前面カバーに開設された開口部から可動部を突出可能とし、可動部の突出状況により、光の照射方向を変化させることにより、演出効果を高めることが可能なハンドルユニットの提供を目的とする。
【０００７】
また、本発明は、本発明に係るハンドルユニットを備えた遊技機の提供を他の目的とする。
【課題を解決するための手段】
【０００８】
上記問題を解決するため、本発明に係るハンドルユニットは、遊技機に搭載され、遊技球を発射する強度を調整する回動操作を受け付ける操作レバーと、前記操作レバーを回動自在に軸支するハンドル本体と、前記ハンドル本体の前面を覆う前面カバーとを備えるハンドルユニットであって、前記前面カバーに開設された開口部と、前記ハンドル本体内の保持位置に保持され、保持位置から前記開口部を通って前記前面カバーより前方に突出可能な可動部と、前記ハンドル本体内に固定され、前記可動部の周囲に配置された光源と、前記可動部に固定され、前記光源から照射された光を反射する反射体とを備え、前記反射体は、反射方向が異なる複数の反射面を有し、前記可動部が保持位置に位置する場合に、第１の反射面は光源からの光を前記可動部の前方から外部へ反射し、前記可動部が前記前面カバーより前方に突出した突出位置に位置する場合に、前記第１の反射面と異なる第２の反射面は光源からの光を前記可動部の側方から外部へ反射することを特徴とする。
【０００９】
また、本発明に係るハンドルユニットは、前記反射体は、前記第１の反射面を内側面とし、前記第２の反射面を外側面とする外縁と、前記外縁の一部が切開された切り欠きとを有し、前記第１の反射面は、前記反射体の周囲から切り欠きを通って照射された光を前方へ反射し、前記第２の反射面は、前記反射体の周囲から照射された光を側方へ反射することを特徴とする。
【００１０】
また、本発明に係るハンドルユニットは、前記前面カバーの内面は、光源からの光を前記反射体側へ反射させる鏡面であることを特徴とする。
【００１１】
また、本発明に係るハンドルユニットは、前記光源は、複数であり、第１の光源は、前記可動部が保持位置に位置する場合に、前記第１の反射面に到達する方向へ光を照射し、前記第１の光源と異なる第２の光源は、前記可動部が突出位置に位置する場合に、前記第２の反射面に到達する方向へ光を照射することを特徴とする。
【００１２】
更に、本発明に係る遊技機は、前記ハンドルユニットを備えることを特徴とする。
【００１３】
本発明では、前面カバーから可動部が突出可能であり、しかも突出することにより、光の反射方向を変化させることが可能である。
【発明の効果】
【００１４】
本発明は、ハンドル本体内の保持位置から、前面カバーに開設された開口部を通って前面カバーより前方に突出可能な可動部を備え、可動部が保持位置に位置する場合と、突出位置に位置する場合とで、ハンドル本体内の光源から照射された光を異なる方向に反射させる。これにより、動きと光とを連動させ、演出効果を高めることが可能である等、優れた効果を奏する。
【図面の簡単な説明】
【００１５】
【図１】本発明に係るハンドルユニットを備えた遊技機の一例を示す概略外観図である。
【図２Ａ】本発明に係るハンドルユニットの外観の一例を概略的に示す概略外観図である。
【図２Ｂ】本発明に係るハンドルユニットの外観の一例を概略的に示す概略外観図である。
【図３】本発明に係るハンドルユニットの内部構造の一例を概略的に示す分解斜視図である。
【図４Ａ】図４Ａ（ａ）は、本発明に係るハンドルユニット１１の一例を示す概略正面図であり、図４Ａ（ｂ）は、本発明に係るハンドルユニット１１の内部構造の一例を概略的に示す概略断面図である。
【図４Ｂ】図４Ｂ（ａ）は、本発明に係るハンドルユニット１１の一例を示す概略正面図であり、図４Ｂ（ｂ）は、本発明に係るハンドルユニット１１の内部構造の一例を概略的に示す概略断面図である。
【図５】本発明に係るハンドルユニットの外観を正面視で概略的に示す概略正面図である。
【図６Ａ】本発明に係るハンドルユニットの前方部分の内部構造を概略的に示す概略断面図である。
【図６Ｂ】本発明に係るハンドルユニットの前方部分の内部構造を概略的に示す概略断面図である。
【図７Ａ】本発明に係るハンドルユニットの前方部分の内部構造を概略的に示す概略断面図である。
【図７Ｂ】本発明に係るハンドルユニットの前方部分の内部構造を概略的に示す概略断面図である。
【発明を実施するための形態】
【００１６】
以下、本発明の実施形態について図面を参照しながら説明する。なお、以下の実施形態は、本発明を具現化した一例であって、本発明の技術的範囲を限定する性格のものではない。
【００１７】
＜遊技機全体＞
図１は、本発明に係るハンドルユニット１１を備えた遊技機１の一例を示す概略外観図である。図１は、遊技機１を前方右上側から視た斜視図である。図１は、本発明に係る遊技機１をパチンコ台に適用した例を示している。遊技機１は、遊技機本体１０に、遊技盤１２、演出ユニット１３、上皿１４、下皿１５、発射ユニット（図示せず）、ハンドルユニット１１等の様々な装置を取り付けて構成されている。
【００１８】
遊技盤１２は、遊技機本体１０の前面の上部約２／３程度を占める遊技領域を形成しており、画像の表示、音声の出力、羽根部材の動作等の各種演出を行う演出ユニット１３が中央付近に配設されている。また、遊技盤１２には、遊技球の進路を変更させる多数の釘１２０が打設されており、更に、遊技盤１２には、「セーフ球」として遊技球を回収する入賞口１２１及び「アウト球」として遊技球を回収するアウト口１２２が開設されている。
【００１９】
遊技盤１２の下方には、遊技によって獲得した遊技球が貯留される上皿１４が配設されており、上皿１４に貯留された遊技球は発射ユニットへ送られる。更に、上皿１４の下方には、上皿１４からあふれた遊技球を貯留する下皿１５が配設されている。
【００２０】
遊技機本体１０の下皿１５の右側には、遊技者の回動操作を受け付けるハンドルユニット１１が配設されており、遊技者はハンドルユニット１１を回動操作することにより、発射ユニットにより、遊技球を遊技盤１２に発射させることができる。
【００２１】
＜ハンドルユニット＞
図２Ａ及び図２Ｂは、本発明に係るハンドルユニット１１の外観を概略的に示す概略外観図である。図２Ａ及び図２Ｂは、ハンドルユニット１１を前方左上側から視た斜視図であり、図２Ａは、後述する可動部１１４が保持位置に位置する状態を示しており、図２Ｂは、可動部１１４が突出した状態を示している。なお、ハンドルユニット１１は、操作者が相対する側が前方であり、遊技機本体１０に取り付けられる側が後方となる。以降の説明においても、遊技機本体１０に取り付けられる側を後方、その反対側を前方として、前後方向を表現する。
【００２２】
ハンドルユニット１１は、ハンドル本体１１０、操作レバー１１１、停止ボタン１１２及び前面カバー１１３等の構成を備えている。ハンドル本体１１０は、ハンドルユニット１１の筐体となっており、円筒状をなし、後端側が遊技機本体１０に取り付けられる。
【００２３】
操作レバー１１１は、ハンドル本体１１０の前端近傍に回動自在に軸支された円環部１１１ａと、円環部１１１ａから外周方向へ突出する突出部１１１ｂとを備えている。操作レバー１１１は、遊技球を発射する強度を調整する回動操作を受け付ける機能を有しており、操作者が、突出部１１１ｂに指を掛け、操作レバー１１１が回動するように操作することで、遊技球を発射する強度を調整することができる。また、操作者が操作レバー１１１から手を離した場合、内蔵されている図示しない復帰バネにより、操作レバー１１１は元の位置に自動的に戻る。
【００２４】
停止ボタン１１２は、操作レバー１１１の後方に配設されており、遊技球の発射を停止する操作を受け付ける。即ち、操作者が操作レバー１１１を回動操作することにより、遊技球を発射させることができ、操作レバー１１１を操作している状態で、更に、停止ボタン１１２を押下した場合、操作レバー１１１の操作角度を維持しながら、遊技球の発射を停止することができる。
【００２５】
前面カバー１１３は、ハンドル本体１１０の前端側部及び前面を覆う円筒状をなし、後端側の底面は開放されて、ハンドル本体１１０に嵌合している。前面カバー１１３の前端側は、円筒の底面となる前面から側面にかけて滑らかな曲面に形成されており、操作者が手を掛けやすいようになっている。前面カバー１１３の前面には、円状の開口部が開設されており、開口部には円柱状をなす可動部１１４の底面が位置している。
【００２６】
可動部１１４は、ハンドル本体１１０の軸方向、即ち、前後方向に移動可能に構成されており、図２Ａに例示するように、前面カバー１１３の前端より後方に窪んでいる状態から、遊技上の演出として、図２Ｂに例示するように、前面カバー１１３の前端より前方へ突出可能である。
【００２７】
図３は、本発明に係るハンドルユニット１１の内部構造の一例を概略的に示す分解斜視図である。図４Ａ（ａ）は、本発明に係るハンドルユニット１１の一例を示す概略正面図であり、図４Ａ（ｂ）は、本発明に係るハンドルユニット１１の内部構造の一例を概略的に示す概略断面図である。図４Ｂ（ａ）は、本発明に係るハンドルユニット１１の一例を示す概略正面図であり、図４Ｂ（ｂ）は、本発明に係るハンドルユニット１１の内部構造の一例を概略的に示す概略断面図である。図４Ａ（ａ）の概略正面図に示すＡ−Ａ方向の断面を図４Ａ（ｂ）として示しており、図４Ｂ（ａ）の概略正面図に示すＢ−Ｂ方向の断面を図４Ｂ（ｂ）として示している。また、図４Ａは、可動部１１４が保持位置に位置する状態を示しており、図４Ｂは、可動部１１４が突出した状態を示している。円筒状をなすハンドル本体１１０の内部には、前述の可動部１１４の他、ハンドル本体１１０に固定された固定部１１５、可動部１１４を後方へ付勢する復帰バネを用いた付勢部材１１６等の各種構成が収容されており、前方は前面カバー１１３により覆われている。
【００２８】
固定部１１５は、保持ベース１１５０、ＬＥＤ基板１１５１、コイル部１１５２等の各種構成を備えており、これらの各種構成は、外形が略円状をなし、ハンドル本体１１０と中心軸を一にして配置されている。保持ベース１１５０は、中央に凹部を有する円形皿状をなしている。保持ベース１１５０は、固定部１１５の基台となる部材であり、ビスにより、ハンドル本体１１０に固定されている。
【００２９】
ＬＥＤ基板１１５１は、保持ベース１１５０と略同様の直径をなす円環状に形成された基板上に、光源として用いられるＬＥＤ（発光ダイオード：Light Emitting Diode）１１５１ａ等の複数の発光素子と、ＬＥＤ１１５１ａの点灯を制御するＩＣチップ等の点灯制御回路１１５１ｂとが固定されている。ＬＥＤ基板１１５１は、ネジにより保持ベース１１５０に螺着されている。
【００３０】
コイル部１１５２は、円筒状をなす台部に導線を巻回してコイルを形成したものであり、ＬＥＤ基板１１５１の円環の内側で保持ベース１１５０の凹部に位置するようにネジで螺着されている。
【００３１】
可動部１１４は、可動体１１４０、可動ベース１１４１、リフレクタ（反射体）１１４２、可動レンズ１１４３、前面パネル１１４４等の各種構成を備えた円柱状をなしており、ハンドル本体１１０と中心軸を一にして配置されている。可動部１１４の径方向の外径（直径）は、前面カバー１１３の開口部の内径より若干小さく形成されており、開口部から前面カバー１１３より前方へ突出可能となっている。
【００３２】
可動体１１４０は、後方側が開放された有底二重円筒状をなし、内側の円筒体の外側面には、磁化方向が前後方向となる永久磁石１１４５が嵌着されている。嵌着された永久磁石１１４５は円筒状をなし、一方の極が前端であり、他方の極が後端となっている。
【００３３】
可動ベース１１４１は、円板を円筒内に嵌合させた形状をなし、後端の外周には付勢部材１１６の後端を係着させる環状部材が設けられている。可動ベース１１４１は、可動部１１４の基台となる部材であり、内部の円板には、後方側に、可動体１１４０が円筒内に嵌合した状態でネジにより螺着されている。また、円板の前方側には、円筒内にリフレクタ１１４２及び可動レンズ１１４３が嵌合している。
【００３４】
リフレクタ１１４２は、円錐の頂部を凹ませ、円錐の側面となる外縁１１４２ａの一部を切開して切り欠き１１４２ｄを設けた形状をなしている。また、リフレクタ１１４２の外縁１１４２ａの外側面１１４２ｃには、球冠状の小さな窪みが多数凹設されている。リフレクタ１１４２の内側面１１４２ｂ及び外側面１１４２ｃは、ＬＥＤ１１５１ａから照射される光を反射させる反射体となっており、外側面１１４２ｃに凹設された多数の窪みにより、光を様々な角度に乱反射させる。リフレクタ１１４２の形状及び反射方向の詳細については後述する。
【００３５】
可動レンズ１１４３は、後方が開放された有底円筒状をなし、前部の底面には、中央部を厚くした前面パネル１１４４が嵌め込まれており、凸レンズとなっている。可動レンズ１１４３は、光を透過させる透明の樹脂で形成されており、外側面は光を乱反射させるローレット加工がなされており、前面は、前面パネル１１４４の中央に形成された星形の形状部分のみが光を透過させる。このように可動レンズ１１４３は、前面の星形部分及び側面が透明となっているため、リフレクタ１１４２で反射した光を前面及び側面から外部へ透過させることができる。
【００３６】
前面カバー１１３の内側には、付勢部材１１６の前端を係着させる係着部が設けられており、付勢部材１１６の後端の可動ベース１１４１を後方へ押圧し、可動部１１４が突出したままの状態とならないように後方へ付勢している。前面カバー１１３の内側は銀メッキされた鏡面となっており、ＬＥＤ１１５１ａから照射された光をリフレクタ１１４２の内側面１１４２ｂ及び外側面１１４２ｃへ反射させる。
【００３７】
図４Ａ及び図４Ｂに示すように、コイル部１１５２は、可動部１１４の周囲を巻回するように固定部１１５に配設されており、永久磁石１１４５は、コイル部１１５２の内側に遊嵌し、磁化方向が前後方向となるように可動部１１４に固定されている。永久磁石１１４５により形成される磁場の中でコイル部１１５２に通電されると、コイル部１１５２は磁場からローレンツ力を受けることになる。本実施形態では、コイル部１１５２が固定部１１５に配設されているため、反作用としての力を永久磁石１１４５が受け、永久磁石１１４５が固定されている可動部１１４が移動することになる。即ち、このように形成された可動部１１４及び固定部１１５は、永久磁石１１４５と永久磁石１１４５の周囲を巻回するコイル部１１５２とにより、ボイスコイルモータとして機能する。
【００３８】
＜演出方法＞
以上のように構成されたハンドルユニット１１を用いた演出について説明する。図５は、本発明に係るハンドルユニット１１の外観を正面視で概略的に示す概略正面図である。図５は、ハンドルユニット１１の正面図に、ハンドル本体１１０に収容されている固定部１１５に配設されたＬＥＤ基板１１５１上のＬＥＤ１１５１ａの位置を破線で示している。図５に示すハンドルユニット１１では、前方へ突出する可動部１１４の周囲に５個のＬＥＤ１１５１ａが配設されている。なお、説明の便宜上、図中、最も下に位置するＬＥＤ１１５１ａをＬＥＤ１とし、向かって右回りにＬＥＤ２，ＬＥＤ３，ＬＥＤ４，ＬＥＤ５と称する。図６Ａ及び図６Ｂ並びに図７Ａ及び図７Ｂは、本発明に係るハンドルユニット１１の前方部分の内部構造を概略的に示す概略断面図である。図６Ａ及び図６Ｂは、可動部１１４が保持位置に位置する場合において、図６Ａが図５に示すＣ−Ｃ方向の断面を示し、図６ＢがＤ−Ｄ方向の断面を示している。図７Ａ及び図７Ｂは、可動部１１４が突出位置に位置する場合において、図７Ａが図５に示すＣ−Ｃ方向の断面を示し、図７ＢがＤ−Ｄ方向の断面を示している。また、図６Ａ、図６Ｂ、図７Ａ及び図７Ｂには、ＬＥＤ１１５１ａから照射される光の光路のうち、外部へ透過する光路の一例を概念的に破線にて示している。
【００３９】
前述の様に、リフレクタ１１４２は、円錐状をなす基本形状から、円錐の頂部を逆向きの円錐状に凹ませて凹部を形成し、凹部の外縁１１４２ａのうち、ＬＥＤ１が配設された下端方向から円錐の中心にかけて、円錐の底面と平行な切り欠き１１４２ｄを設けた形状をなしている。また、リフレクタ１１４２の外縁１１４２ａを形成する内側面１１４２ｂ及び外側面１１４２ｃは、切り欠き１１４２ｄ部位も含めて光を反射するように鏡面加工されており、また、外側面１１４２ｃには、多数の窪みが凹設されている。
【００４０】
可動部１１４が保持位置にある場合、可動レンズ１１４３の側面は前面カバー１１３より後方にある。前面カバー１１３の内側は、銀メッキがなされ、光を全反射するように鏡面加工されている。従って、ＬＥＤ１〜ＬＥＤ５から照射された光が外部に出るためには、可動レンズ１１４３の前面に嵌め込まれた前面パネル１１４４の星形の部分を透過する必要がある。
【００４１】
図６Ａにおいて矢印破線にて示すように、ＬＥＤ２及びＬＥＤ４から照射された光は、前面カバー１１３の内側で反射し、リフレクタ１１４２の外側面１１４２ｃに照射される。リフレクタ１１４２の外側面１１４２ｃに照射された光は、外側面１１４２ｃで様々な方向に反射されるが、前面パネル１１４４の星形の部分へ向かう光路は殆どないため、大部分の反射光は外部に出ることはない。ＬＥＤ３及びＬＥＤ５から照射された光も同様である。
【００４２】
図６Ｂにおいて矢印破線にて示すように、ＬＥＤ１から照射された光は、リフレクタ１１４２の外縁１１４２ａの切り欠き１１４２ｄ部分を通り、リフレクタ１１４２の内側面１１４２ｂで反射して前方へ向かい、前面パネル１１４４の星形の部分を透過して外部へと向かう光路をとる。従って、遊技者は、ハンドルユニット１１の前面の星形部分がＬＥＤ１から照射された光の色に輝く演出を視認することができる。
【００４３】
可動部１１４が突出位置にある場合、可動レンズ１１４３の側面の前方部分は前面カバー１１３より前方にある。従って、ＬＥＤ１〜ＬＥＤ５から照射された光が外部に出るためには、前面パネル１１４４の星形の部分だけでなく、可動レンズ１１４３の側面を透過する光路を通っても良い。
【００４４】
図７Ａにおいて矢印破線にて示すように、ＬＥＤ２及びＬＥＤ４から照射された光は、前面カバー１１３の内側で反射し、更にリフレクタ１１４２の外側面１１４２ｃで反射して、可動レンズ１１４３の側面を透過して外部へと向かう光路をとる。ＬＥＤ３及びＬＥＤ５から照射された光も同様である。従って、遊技者は、ハンドルユニット１１の側面がＬＥＤ２〜ＬＥＤ５から照射された光の色に輝く演出を視認することができる。なお、リフレクタ１１４２の外側面１１４２ｃには多数の窪みが凹設されており、可動レンズ１１４３の外側面１１４２ｃはローレット加工がなされているため、ＬＥＤ２〜ＬＥＤ５から照射された光は乱反射され、演出効果の高い発光状態となる。従って、遊技者は、ハンドルユニット１１の側面がＬＥＤ２〜ＬＥＤ５から照射された光の色に輝く演出を視認することができる。
【００４５】
図７Ｂにおいて矢印破線にて示すように、ＬＥＤ１から照射された光は、前面カバー１１３の内側で反射し、更にリフレクタ１１４２の外側面１１４２ｃで反射して、可動レンズ１１４３の側面を透過して外部へと向かう光路をとる。また、一部の光は、リフレクタ１１４２の内側面１１４２ｂで反射して前方へ向かい、前面パネル１１４４の星形の部分を透過して外部へと向かう光路（図示せず）をとる。従って、遊技者は、ハンドルユニット１１の前面の星形部分及び側面がＬＥＤ１から照射された光の色に輝く演出を視認することができる。
【００４６】
以上のように、本発明に係るハンドルユニット１１は、可動部１１４が保持位置に位置する場合、光源ＬＥＤ１から照射された光を、リフレクタ１１４２の内側面１１４２ｂにて反射し、可動部１１４の前方から外部へ反射する。また、可動部１１４が突出位置に位置する場合、主として、光源ＬＥＤ２〜ＬＥＤ５から照射された光を、リフレクタ１１４２の外側面１１４２ｃにて反射し、可動部１１４の側方から外部へ反射する。これにより、本発明に係るハンドルユニット１１は、可動部１１４の突出及び光の変化という演出効果の高い動作を行うことが可能である。
【００４７】
なお、可動部１１４の動作は、コイル部１１５２に通電する電流を制御することにより可能であるため、可動部１１４の動作速度、振動周期、突出位置等の様々な状態を制御することにより、突出状況だけで無く、光の反射方向が様々に変化するため、より演出効果の高い動作を行うことが可能である。
【００４８】
また、ＬＥＤ２〜ＬＥＤ５の点灯色、点灯タイミングを制御することにより、発光状態を演出することが可能であり、例えば、ＬＥＤ２〜ＬＥＤ５を順番に点灯させ、また消灯させることにより、回転灯のような演出を行うことができる等、様々な動作を行うことが可能である。
【００４９】
本発明は、以上説明した実施形態に限定されるものではなく、他のいろいろな形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形や変更は、全て本発明の範囲内のものである。
【００５０】
例えば、前記実施形態では、前面カバー１１３の内側を全反射するように鏡面加工する形態を示したが、本発明はこれに限らず、一部の光が透過するハーフミラーとして形成するようにしても良い。その場合、突出部１１１ｂが保持位置にある場合でも、ＬＥＤ２〜ＬＥＤ５から照射された光により、前面カバー１１３が内側から照射された光の色に輝く演出を行うことが可能である。
【００５１】
また、前記実施形態では、永久磁石１１４５の周囲にコイル部１１５２を配置したボイスコイルモータにより、可動部１１４を突出させる形態を示したが、本発明はこれに限らず、鉄心を用いたソレノイド等の他の電気的機構、ラックピニオン等の機械的機構等の様々な方法で突出させるようにしても良い。
【００５２】
更に、前記実施形態では、内側面１１４２ｂ及び外側面１１４２ｃにより反射方向を制御する形態を示したが、本発明はこれに限らず、可動部１１４の位置状態及び光源の位置により、異なる反射面にて反射し、前方又は側方への光路をとる様々な形状のリフレクタ１１４２を用いることが可能である。
【符号の説明】
【００５３】
１          遊技機
１１        ハンドルユニット
１１０      ハンドル本体
１１４      可動部
１１４０    可動体
１１４１    可動ベース
１１４２    リフレクタ（反射体）
１１４２ａ  外縁
１１４２ｂ  内側面
１１４２ｃ  外側面
１１４２ｄ  切り欠き
１１４３    可動レンズ
１１４４    前面パネル
１１４５    永久磁石
１１５      固定部
１１５０    保持ベース
１１５１    ＬＥＤ基板
１１５１ａ  ＬＥＤ（光源）
１１５１ｂ  点灯制御回路
１１５２    コイル部
１１６      付勢部材
【図１】
2017029643.tif 000003
【図２Ａ】
2017029643.tif 000004
【図２Ｂ】
2017029643.tif 000005
【図３】
2017029643.tif 000006
【図４Ａ】
2017029643.tif 000007
【図４Ｂ】
2017029643.tif 000008
【図５】
2017029643.tif 000009
【図６Ａ】
2017029643.tif 000010
【図６Ｂ】
2017029643.tif 000011
【図７Ａ】
2017029643.tif 000012
【図７Ｂ】
2017029643.tif 000013